(57)【要約】  【課題】  電磁リレーを用いたバイパス系によっても高い信頼性と生存性が得られるようにした伝送システムを提供すること。  【解決手段】  伝送システムの二重系を切換えるための受信切換部７にリレー１０、１１を設け、そのブレイク接点１０ｂ、１１ｂにより受信切換部７をバイパスするようにしたものにおいて、リレーのコイル１０ｄ、１１ｄに印加される電圧ＶR を断続させるリレー制御部２０を設け、リレー１０、１１が動作したあと、タイマ回路２１と矩形波発振回路２２、それにスイッチ回路２３により、タイマ時間Ｔの間、リレー１０、１１を矩形波信号Ｗによりオンオフさせ、可動接点１０ｃ、１１ｃを、メーク接点１０ａ、１１ａ側とブレイク接点１０ｂ、１１ｂ側で各々接触面が何度か繰り返えし擦れ合わされるようにして、リレー１０、１１の接点が清掃され、この結果、バイパス系の健全性の確保に必要なリレー接点の劣化が抑えられるようにしたもの。  【選択図】  図１
2006080639.tif 000002
【特許請求の範囲】
【請求項１】
信号伝送路を現用系と予備系に選択する切換処理部に、電磁リレーのブレーク接点によるバイパス経路を備えた伝送システムにおいて、
前記電磁リレーの動作電流を所定の周期ｐで断続させる制御手段を設け、
前記制御手段による前記電磁リレーの動作電流の断続を、前記電磁リレーに対する動作電流の通電開始後、予め設定してある時間が経過するまで実行させるように構成したことを特徴とする伝送システム。
【請求項２】
請求項１に記載の伝送システムにおいて、
前記所定の周期ｐが、前記電磁リレーの可動部の共振周波数をｆとして、ｐ＝１／ｆに設定されていることを特徴とする伝送システム。
【請求項３】
請求項１に記載の伝送システムにおいて、
前記所定の周期ｐが、前記電磁リレーの可動部の共振周波数をｆとして、ｐが１／ｆ×０．８以上且つ１／ｆ×１．２に以下に設定されていることを特徴とする伝送システム。
【発明の詳細な説明】
【技術分野】
【０００１】
本発明は、現用系に予備系を備えた伝送システムに係り、特に放送スタジオと送信所間での信号の中継に好適な伝送システムに関する。
【背景技術】
【０００２】
放送スタジオと送信所間の信号の中継にＳＴＬ(studio to transmiter：スタジオ ツウ トランスミッタ)装置と呼ばれる伝送システムが用いられる場合があるが、このＳＴＬ装置には、通常、四六時中連続稼働が要求され、しかも無人システムとして運用される場合が多いので、高い信頼性と生存性が必要である。
【０００３】
そこで、このＳＴＬ装置には、従来から、現用系と予備系の二重の伝送系を備え、一方の伝送系の異常発生により他方の伝送系に自動的に切換えられるようにするのが通例であり、このような二重系による伝送システムの一例について、図５により説明する。
【０００４】
この図５の伝送システムでは、送信側中継部Ｔと受信側中継部Ｒの間を有線又は無線の伝送系Ｌで結合して構成されているが、このとき、送信側中継部Ｔでは、その変調部と送信部を現用系の変調部１−１と送信部２−１及び予備系の変調部１−２と送信部２−２の二重系とすると共に、受信側中継部Ｒでも現用系の受信部５−１と復調部６−１及び予備系の受信部５−２と復調部６−２の二重系とする。
【０００５】
そして、送信側中継部Ｔには送信切換部３を設け、現用系の送信信号Ｉa と予備系の送信信号Ｉb の選択を行なって、一方の送信信号を出力Ｏut に切換えて伝送系Ｌに送出させると共に、受信側中継部Ｒでは伝送系Ｌで中継されてきた送信信号を分配器４により現用系と予備系に分配した上で、受信切換部７を設け、現用系の受信信号入力Ｔs １と予備系の受信信号入力Ｔs ２の選択を行なって、一方の受信信号を出力Ｔso に切換えるようにしている。
【０００６】
このとき、まず、送信切換部３では、変調部１−１、１−２と送信部２−１、２−２の各々からアラーム情報 at１、am１、bt２、bm２を取込み、これにより現用系と予備系の健全性をモニタし、異常の発生に応じて現用系と予備系の切換えを自動的に行ない、異常のない伝送系が選択されるようにする。
【０００７】
また、受信切換部７では、受信部５−１、５−２と復調部６−１、６−２の各々からアラーム情報 ad１、ar１、bd２、br２を取込み、これにより現用系と予備系の各々の健全性をモニタし、異常の発生に応じて現用系と予備系の切換えを自動的に行ない、異常のない健全な方の伝送系が選択されるようにするのである。
【０００８】
ここで、アラーム情報とは、送信切換部３では、変調部１−１、１−２と送信部２−１、２−２の各々に異常が発生したとき、各々に設けてあるモニタ部から発生される信号のことで、受信切換部７では、受信部５−１、５−２と復調部６−１、６−２の各々に異常が発生したとき、各々に設けてあるモニタ部から発生される信号のことである。
【０００９】
ところで、この図５で説明した二重系の伝送システムの場合、送信側中継部Ｔでは送信切換部３が、そして受信側中継部Ｒでは受信切換部７については、何れも二重系構成になっていないので、例えば送信切換部３や受信切換部７の電源が故障したなど、これらの部分に故障が発生したとすると、信号の伝送が中断され、一切の出力が行なえず、重大な事態になってしまう虞れがある。
【００１０】
そこで、これら送信切換部３と受信切換部７の故障をバックアップする技術として、図６に示す、いわゆるバイパス法が従来から知られている。ここで、この図６は、上記したバイパス法を図５の受信切換部７に適用した場合の一例で、この場合、図示のように、受信切換部７の現用系受信信号入力Ｔs １と出力Ｔso の間に２個のリレー１０、１１からなるバイパス回路を設けたものとなる。なお、実際には、送信切換部３についても適用しなければならないことは言うまでもない。
【００１１】
各リレー１０、１１は、各々メーク接点１０ａ、１１ａと、ブレイク接点１０ｂ、１１ｂ、可動接点１０ｃ、１１ｃ、それにコイル１０ｄ、１１ｄを備えた、いわゆる切換接点型の電磁リレー(継電器)で構成されている。
【００１２】
そして、まず、リレー１０の可動接点１０ｃに現用系の復調部６−１の出力を供給し、流量リレー１１の可動接続１１ｃから受信側中継部Ｒの出力を取出すようにする。
【００１３】
次に、リレー１０のメーク接点１０ａを受信側切換部７の現用系の受信信号入力Ｔs １に接続し、受信側切換部７の出力Ｔso はリレー１１のメーク接点１１ａに接続すると共に、リレー１０のブレイク接点１０ｂは、バイパス線路により、そのままリレー１１のブレイク接点１１ｃに接続するのである。
【００１４】
ここで、まず、メーク接点とは一般にａ接点と呼ばれるもので、コイルに通電され、当該リレーが動作したとき閉じる接点のことであり、更には常開(ノーマリーオープン：ＮＯ)接点とも呼ばれ、この図６では薄墨で塗られた丸印で描いてある。
【００１５】
次に、ブレイク接点とは、一般にｂ接点と呼ばれるもので、コイルに通電されていないとき、つまり動作していないときは閉じていて、電磁コイルに通電されリレーが動作したとき開かれる接点のことであり、更には常閉(ノーマリークローズド：ＮＣ)接点とも呼ばれ、この図６では白抜きの丸印で描いてある。
【００１６】
次に、この図６の回路の動作について説明すると、まずリレー１０、１１は、各々のコイル１０ｄ、１１ｄに電源電圧Ｖcc が印加されたとき動作し、それまで閉じていた各々のブレイク接点１０ｂ、１１ｂを開き、これと同時に、それまで開いていたメーク接点１０ａ、１１ａを閉じるようになっている。
【００１７】
このとき、電圧Ｖcc は、図示してないが、受信切換部７に供給されている動作電圧と同じ電源から供給され、ここで、この電圧Ｖcc の電圧値は各リレー１０、１１の定格電圧と等しく、例えば１２Ｖ(ボルト)であり、従って、これがメーク電圧となっている。
【００１８】
ここで、いま、受信切換部７の動作に必要な電源電圧が確保され、受信切換部７が正常に動作しているときは、バイパス系にも例えば１２Ｖの電源電圧Ｖcc が供給されているので、各リレー１０、１１は正しく動作し、メーク接点１０ａ、１１ａは閉じ、ブレイク接点１０ｂ、１１ｂは開いているという、図示の状態を保つ。
【００１９】
図７は、このときの動作を説明するためのタイムチャートで、いま、時刻ｔ0 でシステムに電源が投入されたとすると、図７の(a)に示すように、この時刻ｔ0 でリレー１０、１１の電圧Ｖcc は１２Ｖになり、これらは動作し、メーク接点１０ａ、１１ａは閉じられ、ブレイク接点１０ｂ、１１ｂは開かれる。
【００２０】
なお、以下の説明では、用語としての「時刻」について、「時点」と混用する場合があるが、何れも同じ意味である。また、リレーには動作遅れがあるが、ここでは無視して説明する。
【００２１】
そこで、このときは、現用系の復調部６−１の出力は、閉じているリレー１０のメーク接点１０ａを通って受信切換部７の入力Ｔs １に供給され、受信切換部７の出力Ｔso は閉じているリレー１１のメーク接点１１ａに供給され、受信側中継部Ｒの出力Ｔso として取出されていることになる。
【００２２】
そして、このときの状態を、図７の(b)に示すように、「受信切換部を介して」として表わしており、従って、時刻ｔ0 以前は、「バイパス」状態になっていることになるが、このときは、システム自体、動作していないので、特に意味はもたない。
【００２３】
一方、ここで、受信切換部７の動作に必要な電源電圧の供給が途切れ、受信切換部７の動作が異常になったとすると、これと同時にリレー１０、１１のコイル１０ｄ、１１ｄに供給されている電圧Ｖcc も途切れてしまうので、ここでリレー１０、１１が復帰し、切換接点１０ｃ、１１ｃはブレイク接点１０ｂ、１１ｂに切り替わってしまう。
【００２４】
この時刻が、図７では時刻ｔ1 であり、従って、この時刻ｔ1 以降、システムは、図７の(b)に示すように、「バイパス」状態に切換わり、このときは、現用系の復調部６−１の出力はブレイク接点１０ｂからバイパス線路を通ってブレイク接点１１ｂに供給されるようになる。
【００２５】
これにより受信切換部７の入力Ｔs １と出力Ｔso 間はバイパスされてしまい、現用系の復調部６−１の出力は、受信切換部７の状況とは無関係に、そのまま受信側中継部Ｒの出力Ｔso として取出されることになる。
【００２６】
この結果、最悪、受信切換部７が故障したとしても、現用系の信号については中継を継続させることができ、一切の出力が行なえないという重大な事態に至ってしまう虞れを回避させることができる。
【発明の開示】
【発明が解決しようとする課題】
【００２７】
上記従来技術は、バイパス系にリレー(電磁リレー)の接点を含んている点に配慮がされておらず、信頼性と生存性の確保のための最後の砦ともいうべきバイパス経路によっても信号の伝送が得られなくなってしまうという問題があった。
【００２８】
リレーは、特別仕様の場合を除き、一般に温度の上昇によりコイルから有機性ガスが発生するという特性があるが、このガスは、リレーの接点を徐々に酸化させ、酸化被膜の形成により接触抵抗を増大させ、最終的には接触不良を起こしてしまう。
【００２９】
このように接触不良が発生してしまった場合、バイパス系に切換えてもバイパス機能が与えられなくなってしまい、この結果、信頼性と生存性の確保のための、いわば最後の砦ともいうべきバイパス経路によっても信号の伝送が得られなくなってしまうのである。
【００３０】
本発明の目的は、リレーを用いてもバイパス系による高い信頼性と生存性が得られるようにした伝送システムを提供することにある。
【課題を解決するための手段】
【００３１】
上記目的は、信号伝送路を現用系と予備系に選択する切換処理部に、電磁リレーのブレーク接点によるバイパス経路を備えた伝送システムにおいて、前記電磁リレーの動作電流を所定の周期ｐで断続させる制御手段を設け、前記制御手段による前記電磁リレーの動作電流の断続を、前記電磁リレーに対する動作電流の通電開始後、予め設定してある時間が経過するまで実行させるようにして達成される。
【００３２】
このとき、前記所定の周期ｐが、前記電磁リレーの可動部の共振周波数をｆとして、ｐ＝１／ｆに設定されるようにしても、上記目的が達成される。
【００３３】
なお、電磁リレーの可動部の共振周波数にバラツキがある場合(電磁リレーによって共振周波数が少しずつ異なる)を考慮して、１／ｆ×０．８≦ｐ≦１／ｆ×１．２となるように設定しても良い。
【発明の効果】
【００３４】
本発明によれば、リレーが動作される毎に接点同士の摺動が複数回行われ、リレーの接点面に形成される酸化被膜の清掃が形成初期の段階で実行されることになるので、接点の酸化に伴う接触不良が抑えられ、バイパス法による信頼性と生存性の維持を充分に得ることができる。
【発明を実施するための最良の形態】
【００３５】
以下、本発明による伝送システムについて、図示の実施の形態により詳細に説明する。ここで図１は、本発明の一実施形態に係る伝送システムを示したもので、図において、２０はリレー制御部で、これから出力される電圧ＶR がリレー１０、１１の電源電圧(リレー電圧)として供給されるようになっているが、これら以外の構成は、図５と図６で説明した従来技術による伝送システムの場合と同じであり、且つ、実際には送信切換部３についても適用しなければならないことは、この実施形態でも同じである。
【００３６】
この実施形態におけるリレー制御部２０は、電源の電圧Ｖcc が立ち上がったとき、リレー１０、１１のコイル１０ｄ、１１ｄに供給すべき動作電圧ＶR を所定の時間だけ断続させるための制御手段を構成し、このため、図示のように、タイマ回路２１と矩形波発振回路２２、それにスイッチ回路２３で構成されている。
【００３７】
ここで、まず、タイマ回路２１は、図２(a)に示すように、電源電圧Ｖcc が時点ｔ0 で立ち上がったとき、図２(b)に示すように、この立ち上り時点ｔ0 で計時動作を開始し、予め設定してあるタイマ時間Ｔが経過した時点ｔZ (＝ｔ0＋Ｔ)まで継続するタイマ信号τを発生し、このタイマ信号τを矩形波発振回路２２に供給する働きをする。
【００３８】
次に、矩形波発振回路２２は、図２(c)に示すように、タイマ信号τが入力されている期間(＝Ｔ)中だけ動作し、このときだけ矩形波信号Ｗを発生してスイッチ回路２３に供給する働きをする。
【００３９】
更に、スイッチ回路２３は、矩形波発振回路２２から供給されている矩形波信号Ｗによりオンオフ制御される電子スイッチで構成され、図２(d)に示すように、矩形波信号Ｗのレベルが“Ｌ"のときはオンしているが、レベルが“Ｈ"になったときオフされるようになっており、これにより図２(e)に示すように、オンされているときに電源電圧Ｖcc をリレー電圧ＶR として出力する働きをする。
【００４０】
そこで、この実施形態では、電源電圧Ｖcc(＝１２Ｖ)が立ち上がった時点ｔ0 で直ちにリレー電圧ＶR が０Ｖから１２Ｖ(＝Ｖcc)に立ち上がるのではなく、この時点ｔ0 の直後からタイマ時間Ｔが経過するまでは、図２(e)に示すように、矩形波信号Ｗに応じて電圧が０Ｖと１２Ｖの間で交互に切換えられ、リレー１０、１１には１２Ｖの電圧がオンオフされた状態で供給されることになる。
【００４１】
従って、この間、つまり時点ｔ0 の直後からタイマ時間Ｔが経過するまでの間、リレー１０、１１は断続動作していることになる。そして、時点ｔ0 以降、タイマ時間Ｔが経過した時点ｔZ になると、ここで矩形波信号Ｗが消滅するので、図２(d)に示すように、時点ｔZ 以降、スイッチ回路２３はオンしたままになり、１２Ｖの電圧が連続してリレー１０、１１に供給されるようになる。
【００４２】
そこで、リレー１０、１１は、この時点ｔZ で断続動作から連続動作に移行し、これにより、システムの動作は、図２(f)に示すように、時刻ｔZ 以降、「バイパス」状態から「受信切換部を介して」状態に切換えられ、この結果、現用系の復調部６−１の出力は、閉じているリレー１０のメーク接点１０ａを通って受信切換部７の入力Ｔs １に供給され、受信切換部７の出力Ｔso は閉じているリレー１１のメーク接点１１ａに供給され、受信側中継部Ｒの出力Ｔso として取出されていることになる。
【００４３】
そして、これ以降の動作は、図７の従来技術の場合と同じで、受信切換部７の動作に必要な電源電圧が途切れ、動作が異常になったとすると、これと同時にリレー１０、１１のコイル１０ｄ、１１ｄに印加されている電圧Ｖcc が途切れてしまうので、ここでリレー１０、１１が復帰し、切換接点１０ｃ、１１ｃはブレイク接点１０ｂ、１１ｂに切り替わる。
【００４４】
そこで、これ以降、システムは、図７(b)に示したように、「バイパス」状態に切換わり、このときは、現用系の復調部６−１の出力はブレイク接点１０ｂからバイパス線路を通ってブレイク接点１１ｂに供給され、これにより受信切換部７の入力Ｔs １と出力Ｔso 間はバイパスされてしまい、現用系の復調部６−１の出力は、受信切換部７の状況とは無関係に、そのまま受信側中継部Ｒの出力Ｔso として取出されることになる。
【００４５】
従って、この実施形態でも、最悪、受信切換部７が故障したとしても、現用系の信号については中継を継続させることができ、一切の出力が行なえないという重大な事態に至ってしまう虞れを回避させることができる。
【００４６】
次に、この実施形態においては、上記したように、例えばシステムに電源が投入され、時刻ｔ0 で電圧Ｖcc が立ち上がったとき、リレー電圧ＶR が、図２(e)に示すように、矩形波信号Ｗに応じて電圧が０Ｖと１２Ｖの間で交互に切換えられ、これにより、リレー１０、１１が時点ｔ0 からタイマ時間Ｔが経過するまでの間、断続動作するようになっており、これにより、この実施形態では、リレーを用いていてもバイパス系による高い信頼性と生存性が得られるものであり、以下、その理由について説明する。
【００４７】
この実施形態で使用されているリレーは、アマチュアと称される可動鉄片(可動鉄心)を電磁石の働きにより動かし、接点の開閉を行なうようにした一般的な電磁リレーの一種であるが、このようなリレーでは、接点を閉じるとき可動接点が固定接点に対して摺動し、接触面が擦れ合うことにより、接点の清掃作用が得られるように設計されているのが一般的である。
【００４８】
ところで、このときの接点の摺動の程度(ストローク)は、一般的なリレーの場合、多く取るのは構造上、困難な場合が多く、従ってあまり大きな清掃作用は期待できないが、しかし、ここで接点の開閉動作を数多く行えは、それに応じて清掃頻度が増すので、酸化被膜の生成などによる接触抵抗の増加を充分に抑えることができるようになる。
【００４９】
そこで、この実施形態では、電圧Ｖcc が立ち上がった時点ｔ0 からタイマ時間Ｔが経過するまでの間、リレー１０、１１に断続動作を何度か繰り返えさせ、可動接点１０ｃ、１１ｃを、メーク接点１０ａ、１１ａ側とブレイク接点１０ｂ、１１ｂ側で各々接触面が何度か繰り返えし擦れ合わされるようにするのである。
【００５０】
従って、この実施形態によれば、システムに電源が投入されるなどして、電圧Ｖcc が立ち上がる毎にリレー１０、１１の接点が清掃されることになり、この結果、バイパス系の健全性の確保に必要なリレー接点の劣化が抑えられ、信頼性と生存性の高い伝送システムを提供することができる。
【００５１】
ところで、この実施形態の場合、電圧Ｖcc が立ち上がった時点ｔ0 から時点ｔZ になるまでのタイマ時間Ｔの期間は、リレー１０、１１による「受信切換部を介して」状態への切換えが断続してしまうので、この期間は短い方が望ましいが、一方、このタイマ時間Ｔを長くすれば、接点の清掃回数も多くなるので、この点からすれば、長いにこしたことはない。
【００５２】
そこで、この実施形態では、上記の兼ね合いから、図２(b)に示すように、タイマ時間Ｔを１.５秒にしてある。しかし、これは一例に過ぎず、必要に応じて任意に決めて良いことはいうまでもない。
【００５３】
ここで、以上に説明した本発明の一実施形態は、電圧Ｖcc が立ち上がる毎にリレー１０、１１の接点が清掃されるようした場合のものであるが、本発明の実施形態としては、何を契機としてリレー１０、１１の接点が清掃されるようしてもよい。
【００５４】
図３は、本発明の他の一実施形態で、これは、リレー１０、１１の接点が清掃されるための契機となる信号として、受信切換部７で発生される異常信号ＮＧを用いるようにしたものである。
【００５５】
従って、この図３の実施形態では、受信切換部７から異常信号ＮＧがリレー制御部２０のタイマ回路２１に供給され、これにより、タイマ回路２１は、図４(b)に示すように、異常信号ＮＧが入力された時点ｔ0 で計時動作を開始するようになっている点が、図１の実施形態と異なっているだけで、その他の点は、図１の実施形態と同じである。
【００５６】
既に、図５で説明したように、受信切換部７では、受信部５−１、５−２と復調部６−１、６−２の各々からアラーム情報 ad１、ar１、bd２、br２を取込み、これにより現用系と予備系の各々の健全性をモニタし、異常の発生に応じて現用系と予備系の切換えを自動的に行ない、異常のない健全な方の伝送系が選択されるようにしている。
【００５７】
そこで、この図３の実施形態では、アラーム情報 ad１、ar１、bd２、br２により異常が報知されたら、レベルが０Ｖの電圧から１２Ｖ(＝ＶCC)の電圧に変化する異常信号ＮＧが発生されるようにしてある。
【００５８】
そこで、この図３の実施形態の場合は、図４(a)に示すように、異常信号ＮＧの発生を契機として、図４(b)から図４(f)までに示す動作、つまり図２(b)から図２(f)と同じ動作が得られることになる。
【００５９】
ここで、この図４は、同図(a)が、異常信号ＮＧになっているだけで、その他は図２と同じであり、従って、この図３の実施形態によれば、異常信号ＮＧが発生される毎にリレー１０、１１の接点が清掃されることになり、この結果、バイパス系の健全性の確保に必要なリレー接点の劣化が抑えられ、信頼性と生存性の高い伝送システムを提供することができる。
【００６０】
次に、以上の実施形態における矩形波発振回路２２による矩形波信号Ｗの周波数について説明すると、これは、リレー１０、１１の可動部の共振周波数に応じて決めるのが望ましい。
【００６１】
上記したように、この実施形態で、リレー１０、１１を矩形波信号Ｗにより断続させているのは、接点の清掃のためであり、従って、このときは、可動接点１０ｃ、１１ｃがメーク接点１０ａ、１１ａとブレイク接点１０ｂ、１１ｂの双方に交互に擦り合わさるようにしなければならない。
【００６２】
ここで、可動接点１０ｃ、１１ｃがメーク接点１０ａ、１１ａに接触して閉じるのは、コイルに通電されたときで、ブレイク接点１０ｂ、１１ｂに接触して閉じるのは、コイルの通電が止まったときであるから、とにかくリレー電圧ＶR を、図２(e)と図４(e)に示すように断続させてやりさえすれば良いように思える。
【００６３】
しかし、リレーの応答速さには限度があり、断続周期が短くなると応答が追いつかなくなって、接点間の接触が充分に得られなくなってしまうから、矩形波信号Ｗの周波数はあまり高くできない。
【００６４】
一方、この断続周期は、清掃頻度の点からは短い方が有利であり、従って、この矩形波信号Ｗの周波数はリレー１０、１１の可動部の共振周波数と同じにするのが最良の選択となる。
【００６５】
この場合、リレー１０、１１の可動部の共振周波数をｆとして、図２(c)と図４(c)に示す矩形波信号Ｗの周期ｐについて、ｐ＝１／ｆの関係になるようにしてやればよく、しかも、この場合、同一のリレー電圧ＶR のもとで最大振幅の断続動作が得られるので、その分、接点の清掃作用も強くなり、省エネの点でも有利になる。
【００６６】
例えば、リレーの共振周波数ｆ＝６６Ｈｚである場合、矩形波信号Ｗの周期ｐ＝１／６６ｓ(約１５．２ｍｓ)とすると、最大振幅の断続動作が得られることになり、接点の清掃作用が強く得られ、省エネの点で有利になる。
【図面の簡単な説明】
【００６７】
【図１】本発明による伝送システムの一実施形態を示すブロック構成図である。
【図２】本発明による伝送システムの一実施形態の動作を説明するためのタイミング図である。
【図３】本発明による伝送システムの他の一実施形態を示すブロック構成図である。
【図４】本発明による伝送システムの他の一実施形態の動作を説明するためのタイミング図である。
【図５】二重系として構成した伝送システムの一例を示すブロック構成図である。
【図６】電磁リレーのブレーク接点によるバイパス経路を備えた伝送システムの従来技術の一例を示すブロック構成図である。
【図７】従来技術による伝送システムの一例の動作を説明するためのタイミング図である。
【符号の説明】
【００６８】
Ｔ：送信側中継部
Ｌ：伝送系(無線又は有線)
Ｒ：受信側中継部
１−１、１−２：変調部
２−１、２−２：送信部
３：送信切換部
４：分配器
５−１、５−２：受信部
６−１、６−２：復調部
７：受信切換部
１０、１１：リレー(電磁リレー)
１０ａ、１１ａ：メーク接点(常開接点：ＮＯ)
１０ｂ、１１ｂ：ブレイク接点(常開接点：ＮＣ)
１０ｃ、１１ｃ：可動接点
１０ｄ、１１ｄ：コイル(電磁コイル)
２０：リレー制御部
２１：タイマ回路
２２：矩形波発振回路
２３：スイッチ回路
【図１】
2006080639.tif 000003
【図２】
2006080639.tif 000004
【図３】
2006080639.tif 000005
【図４】
2006080639.tif 000006
【図５】
2006080639.tif 000007
【図６】
2006080639.tif 000008
【図７】
2006080639.tif 000009